(57)【要約】  対象物９の画像を得るための装置および方法。装置は、放射線発生源１および、走査ゾーンを定義するために相互に間隔を隔てた少なくとも２つ〜５つの一連のリニア検出器３ａ、３ｂ、３ｃ；対象物を走査ゾーンに対しておよび走査ゾーンを通って移動させる手段７；リニア検出器の出力から画像を生成するための直接画像生成装置；検出器のうちの隣接するペアの出力を処理すること、および２つの前記検出器の出力間の中間の出力を表す画像を生成することによって、検出器のペアから少なくとも１つの中間画像を生成するように構成される中間画像生成装置；全部で少なくとも５つのおよび好ましくは少なくとも６つの画像が生成されるのに適した画像生成装置；この種の画像を連続的に表示し、したがって画像間に単眼の運動視差を表示するのに適した画像ディスプレイ、を備える。【選択図】なし
2010522876.tif 000002
【特許請求の範囲】
【請求項１】
対象物の画像を生成して表示するための装置であって、以下を含む：
放射線発生源および、相互間に走査ゾーンを定義するために、相互に間隔を隔てた少なくとも２つでかつ５つ以下の一連のリニア放射線検出器；
使用時に対象物を、前記走査ゾーンに対しておよび当該走査ゾーンを通って移動させる手段；
少なくとも１つのリニア検出器の出力から画像を生成するように構成される直接画像生成装置；
リニア検出器のうちの少なくとも１つの隣接するペアの出力を処理すること、および２つの前記検出器の出力間の中間の出力を表す画像を生成することによって、前記検出器の前記ペアから少なくとも１つの中間画像を生成するように構成される中間画像生成装置；
全部で少なくとも５つの画像が生成されるのに適した前記画像生成装置；
この種の画像を連続的に表示し、したがって前記画像間に単眼の運動視差を表示するのに適した画像ディスプレイ。
【請求項２】
請求項１に記載の装置において、横方向に間隔を置かれた一連に並ぶ前記リニア検出器が、それら相互間の距離が各アレイ間に一定の角度分離を維持するために変更するように配置される。
【請求項３】
請求項２に記載の装置であって、請求項２による各リニア検出器の配列を可能にさせる位置合わせ手段をさらに含む。
【請求項４】
請求項１〜３のいずれか１項記載の装置であって、ユーザが、単一の放射線発生源から２つ〜５つのビームを選択することができるのに適したコリメータを含む。
【請求項５】
請求項１〜４のいずれか１項記載の装置であって、横方向に間隔を置かれた少なくとも３つでしかし５つ以下の一連のリニア検出器、および、連続的な表示のための少なくとも６つの一連の画像を生成するのに適した画像生成装置、を含む。
【請求項６】
請求項１〜５のいずれか１項記載の装置において、前記画像ディスプレイが、個々の２次元画像として画像を連続的に表示するのに適した単眼のディスプレイである。
【請求項７】
請求項６に記載の装置において、前記画像ディスプレイが、２次元のビデオ表示スクリーンである。
【請求項８】
請求項１〜７のいずれか１項記載の装置において、前記中間画像生成器が、検出器のうちの少なくとも１つの隣接するペアの出力を処理すること、および２つの前記検出された出力間の移行を表す画像を生成することによって、検出器の前記隣接するペアによって発生される画像間の段階的移行を示す、検出器の前記ペアから２つ以上の中間画像を生成するように構成される。
【請求項９】
請求項１〜８のいずれか１項記載の装置であって、人間の観察者にとって各画像間のおよび／または正順と逆順との間のなめらかな移行を可能にするために、ユーザが可変速度で連続的な画像を表示することができるコントロール手段をさらに含む。
【請求項１０】
請求項１〜９のいずれか１項記載の装置において、前記横方向に間隔を置かれた一連の各リニア検出器が、ホトダイオード・セルのリニアアレイを含む。
【請求項１１】
請求項１〜１０のいずれか１項記載の装置において、前記リニア検出器のうちの少なくともいくつかが、二重エネルギー検出器を含む。
【請求項１２】
請求項１〜１１のいずれか１項記載の装置において、前記リニア検出器のうちの少なくともいくつかが、伝送される放射線についての分光情報を生成することができる検出器を含み、前記検出器が、分光情報が読み出されることができる発生源スペクトルの少なくとも実質的な一部にわたる分光的に可変な応答を呈する。
【請求項１３】
請求項１２に記載の装置であって、生成される画像における発生源スペクトルの分光分解能を表すのに適した画像処理手段を含む。
【請求項１４】
請求項１３に記載の装置において、前記画像処理手段が、分光的に分解されたデータを複数の帯域に処理して、そして、生成される画像におけるこの種の各帯域を表するために別々の色を適用することに適している。
【請求項１５】
請求項１２〜１４のいずれか１項記載の装置において、前記リニア検出器は、それが、直接的な材料特性として、発生源スペクトルの別々の部分に対して、直接可変の電気的なおよび例えば光電子的な応答を本質的に示すように選択される材料から作られるという点で、直接的な分光器応答を呈する。
【請求項１６】
請求項１５に記載の装置において、前記検出器が、テルル化カドミウム、カドミウム・テルル化亜鉛（ＣＺＴ）、カドミウム・マンガン・テルル化物（ＣＭＴ）、ゲルマニウム、ランタン臭化物、トリウム臭化物から選択される単一材料または複数材料を含む。
【請求項１７】
請求項１〜１６のいずれか１項記載の装置において、対象物を前記走査ゾーンに対しておよび当該走査ゾーンを通って移動させる前記手段が、静的発生源および検出器アレイによって定義される走査ゾーンを通って対象物を搬送するための平面コンベヤの形態の対象物搬送手段を含む。
【請求項１８】
請求項１〜１７のいずれか１項記載の装置であって、Ｘ線発生源および、相互に間隔を隔てた少なくとも２つでかつ５つ以下のリニア放射線検出器を含む。
【請求項１９】
請求項１８に記載の装置であって、タングステンＸ線発生源を含む。
【請求項２０】
対象物の画像を得るための方法であって、以下のステップを含む：
放射線発生源および、相互間に走査ゾーンを定義するために、相互に間隔を隔てた少なくとも２つでかつ５つ以下の一連のリニア放射線検出器を設けるステップ；
対象物を前記走査ゾーンに対しておよび当該走査ゾーンを通って移動させるステップ；
少なくとも１つのリニア検出器の出力から直接画像を生成するステップ；
リニア検出器のうちの少なくとも１つの隣接するペアの出力を処理すること、および２つの前記検出器の出力間の中間の出力を表す画像を生成することによって、前記検出器の前記ペアから少なくとも１つの中間画像を生成するステップ；
全部で少なくとも５つの画像が生成されるように；
この種の画像を連続的に表示して、したがって前記画像間に単眼の運動視差を表示するステップ。
【請求項２１】
請求項２０に記載の方法において、前記画像が、個々の２次元画像として連続的に表示される。
【請求項２２】
請求項２０または２１に記載の方法であって、横方向に間隔を置かれた少なくとも３つでしかし５つ以下の一連のリニア検出器が、連続的な表示のための少なくとも６つの一連の画像を生成するために設けられる。
【請求項２３】
請求項２０〜２２のいずれか１項記載の方法であって、前記方法が、リニア検出器のうちの隣接するペアまたは隣接する各ペアの出力を処理することによって、および２つの前記検出された出力間の中間の出力を表す画像を生成することによって、リニア検出器のうちの少なくとも１つの隣接するペアから少なくとも２つの中間画像を生成する、そして適用できる場合には、複数の隣接するペア、例えば隣接する各ペアから、少なくとも１つの中間画像を生成する、ステップを含む。
【請求項２４】
請求項２０〜２３のいずれか１項記載の方法において、前記連続的な画像が、解釈を容易にするために、観察者のコントロール下で特別の定義可能なリフレッシュ速度および方向で表示される。
【請求項２５】
請求項２０〜２４のいずれか１項記載の方法において、前記リニア検出器のうちの少なくともいくつかによって生成される画像が、２つのエネルギー帯域に分解される。
【請求項２６】
請求項２０〜２５のいずれか１項記載の方法において、前記リニア検出器のうちの少なくともいくつかによって生成される画像が、発生源スペクトルの少なくとも実質的な一部にわたって分光的に分解され、そして、この種の各リニア検出器の出力から得られる伝送される放射線の分光的分解能が、表示される画像において表される。
【請求項２７】
請求項２６に記載の方法において、発生源スペクトルが複数の帯域に分けられ、そして、表示される画像においてこの種の各帯域を表すために別々の色が用いられるという点で、帯域区分されたマッピングは、生成される画像における分光的分解能を表すために使用される。
【請求項２８】
請求項２０〜２７のいずれか１項記載の方法であって、以下を含む：
第１の動作モードにおいて、先行する任意の請求項でのように横方向に間隔を置かれた一連のリニア検出器アレイからの複数の画像を生成するステップ；さらに
第２の動作モードにおいて、前記一連の検出器の中で特定のリニア検出器に導かれる、単一のコリメートされた１次カーテンビームを生成するステップ、
回析される２次ビームを検出するために他の検出器を使用して、散乱される放射線に関する追加情報を与えるために、前記他の検出器からのこの情報を処理するステップ。
【請求項２９】
請求項２８に記載の方法において、両方の動作モードが、順次に、または連続的に接近して、または事実上同時に、適用される。
【請求項３０】
請求項２０〜２９のいずれか１項記載の方法であって、Ｘ線放射線発生源および、少なくとも２つでかつ５つ以下の一連のリニアＸ線検出器を設けるステップを含む。
【発明の詳細な説明】
【技術分野】
【０００１】
本発明は、材料を検出し、画像化し、そして好ましい実施形態において３次元空間で材料を特徴づける方法および装置に関する。
【背景技術】
【０００２】
本発明は、特に、それらの内部の内容物および／または組成についての情報を得ることが望まれる対象物を走査するために、高エネルギー放射線（例えばＸ線またはガンマ線）を使用する装置および方法に関する。本発明は、特に、３次元の対象物が走査ゾーンを通って移動されるライン走査の原理に作用して、収集される情報を画像化する装置および方法に関する。これらの原理は、それらの内部の内容物についての情報を得ることが望まれる対象物を走査するために、例えばセキュリティ産業において広く使用される。しかし、他の分野（例えば、これに限定されないが、医療の画像化、品質管理目的のための画像化、または構造の完全性を決定する目的、等）においても使用されてもよい。
【０００３】
ライン走査の原理を使用する画像化装置は、周知である。概して、この種の装置は、Ｘ線発生源のような高エネルギー放射線発生源を含み、そして本明細書における例示を目的として、特にＸ線システムについてさらなる考察を記述する。発生源のビームは、カーテン内へコリメートされてもよく（通常「カーテンビーム」と呼ばれる）、それから、例えばリニア・ホトダイオードアレイを含むリニア検出器アレイによって検出されてもよい。ビームに対して対象物のリニアに関係する運動（例えば直角に）を有することによって、そして、完全な画像フレームが編集されることができるリニアアレイに由来するＸ線伝送情報の連続的な走査を記憶することによって、画像情報が得られる。
【０００４】
走査される対象物がＸ線放射を不均一に透過し、例えば、複数のより小さい対象物および／または異種の材料の構成要素からなるか、またはそれらを含んでいる場合、その内容物または構成要素が所定の場合において、その対象物の画像を形成することは可能である。画像は、それから、表示スクリーンに表示されてもよい。この画像は、例えば、上述で概説した可能な応用に関連して有用であり得る。特に、容器の内容物あるいは対象部または本体の内部構造を決定することにおいて有用であり得る。
【０００５】
それでも、この種のＸ線装置によって生成される画像は、制限される。せいぜい、それは、画像化される対象物の２次元の影絵（ｓｈａｄｏｗｇｒａｐｈ）を構成する。このことは、それを解釈することを困難にする。
【０００６】
欧州特許第ＥＰ６１００８４号は、見るための「２．５Ｄ」立体模型像（ｓｏｌｉｄ  ｍｏｄｅｌ  ｐｉｃｔｕｒｅ）を作成する方法を記述する。Ｘ線の立体視ペア画像は、Ｘ線発生源に由来する２つの発散的なカーテンビームを使用して得られる。これらは、結果として生じるスライス情報から構成される複合スライスおよび２．５Ｄ画像に分離される。
【０００７】
結果として生じる画像が完全な立体視装置によってよりはむしろ２次元のスクリーンに提示されるという理由から、その画像は厳密には３次元画像（しばしばそのように言及されるにもかかわらず）ではない。この種の２．５Ｄ表示は、事実、完全な３次元画像にとって要求される両眼視差または立体知覚として知られる完全な生理的深度刺激よりはむしろ、リニア遠近法、干渉、陰影およびシャドーイングのような深度の心理的刺激を含む。
【０００８】
欧州特許第ＥＰ６１００８４号の方法は、さらに、回転されることができて、別々の方向から注目されることができる最終画像、そして、別々の対象物または複合物の相対的な位置に関しては相当な情報を与えることができる最終画像をユーザに提供する。しかしながら、それは、位置した品目の性質に関しては、情報を与えない。
【０００９】
英国特許第ＵＫ２３２９８１７号および英国特許第ＵＫ２３６０６８５号は、完全な立体視ペア画像を発生するために用いることができる方法およびシステムの例である。それらは、最終的に、欧州特許第ＥＰ０２６１９８４号において述べられる原理に由来する。特に、それらは、第４欄第３１〜４８行で述べられる、検出器およびビーム発生源の位置関係（ｇｅｏｍｅｔｒｙ）に相当な制約条件を課すという状況に制約される。立体視的な画像化が比較的強力な技術であり得るにもかかわらず、深度情報に関して完全な生理的刺激を利用すること、したがって、対象物または構成要素をいっそう直ちにそして明らかに識別するために、Ｘ線装置のユーザに対して潜在力を提供することは、実際的な動作において複雑であり得る。立体的な効果を利用するために、観察者は、各目で別々の画像を同時に受け入れることが必要である。これは、特別な装置の使用を必要とする。さらに、完全な立体視的な技術は、上記で識別される状況を考慮する画像収集プロセスの正確なコントロールを要求する。立体視ペア画像が有効である場合、それぞれの画像は、観察者の目によって許容される密に接近した視差によって収集されなければならない。これらの理由により、完全な立体視的な画像化は、この種の走査マシンにとって広く受け入れられていなかった。
【００１０】
従来の非立体視的な装置および方法が、３次元において限られた情報を与えるという傾向があるだけでなく、それらが発生する画像もまた、材料の中身についての限られた情報を与える。本質的には、最も簡潔的にいえば、測定される全ては、Ｘ線の透過性である。
【００１１】
最も実用的なシステムにおいてさえ、これは間接的に測定される。最も簡潔的にいえば、通常のリニアアレイ検出器は、伝送されたＸ線に反応するシンチレータ材料を組み合わせで備えており、これは、次いで、低周波放射線および例えば光を、例えばこの低周波放射線に反応するシリコンまたはガリウムヒ素ベースの検出器などの半導体検出器と組み合わせて、可視領域中に、または可視領域周囲に放射する。この検出器は、振幅情報を単に収集するのみであり、分光的に弁別しない。
【００１２】
しかしながら、伝送されたＸ線からの分光情報は、走査される対象物または構成要素の材料の中身についての追加情報を与えるために使用できることが知られている。このことは、Ｘ線放射の全スペクトルから低エネルギー帯域および高エネルギー帯域を別々に識別することができる、二重帯域検出器の開発に至った。この種の二重エネルギーセンサは、概して、それぞれの検出器が低エネルギーＸ線および高エネルギーＸ線の伝送を検出するように構成されるシンチレータ構成と連携する、半導体ホトダイオードアレイ等のサンドイッチペアを含む。任意の材料のＸ線吸収特性は分光的に変化することができ、そして、吸収特性の変化する量は特に原子番号に依存することが知られている。このことは、主に、より低い原子番号の元素を有する対象物と、より高い原子番号の元素を有する対象物とを一般に区別するために、二重エネルギー検出器によって利用される。
【００１３】
セキュリティまたは材料識別システムの一部として利用されるときに、有機材料は前者のカテゴリである傾向があり、そして大部分の無機材料は後者のカテゴリである傾向がある、非常におおざっぱな概算がなされることができる。しかしながら、この種のシステムでさえ、組成物についての限られた情報のみを与える。有機／無機の分割は、おおざっぱでおよび概算であり、対象物がＸ線経路において重ね合わせられることによって直ちに混同されることが可能であり、対象物の結晶のまたは多結晶の性質に関して情報を与えない。
【００１４】
英国特許第ＵＫ２３２９８１７号および英国特許第ＵＫ２３６０６８５号は、二重エネルギー伝送検出器を組み込む。それでも、装置によって与えられる構成情報は、例えば、低い／より高いエネルギーの二重性効果が、有機／無機の分割のおおざっぱな概算のみを与えることができて、それ自体、多結晶の材料を区別することができないという、なお制限がある。
【００１５】
このために、言及は、追加の散乱検出器を含む。Ｘ線は、それらが通過する材料によって散乱され、そして、これらの散乱による信号は、散乱する材料を識別するために用いられてもよい情報を含むことができる。セキュリティ問題（例えば爆発物、麻薬および半導体物質）を起こす材料の多くが、多結晶の構造を有し、したがって良好な散乱信号を発生するので、これらの検出器にとって大きな適用可能性がある。追加の散乱検出器がシステムにより大きな複雑さを導入し、そして、散乱するビームは弱くてそれで処理能力が制限されるので、散乱信号から材料を識別するこの技術は、たとえ可能であるとしても、現在は商業的に用いられない。
【００１６】
Ｘ線のライン走査技術は、複雑でそして変化する形状および組成の対象物の検出および弁別が重要な特徴である、セキュリティの用途に広く使われている。特に組成がよりよく特徴を描写されることもできる場合、この種の対象物の３次元空間における正確な形状および位置のより良好な分解能は、現在の技術上の相当な進歩である。
【発明の概要】
【００１７】
本発明の目的は、従来技術におけるライン走査システムの上記の不利点のいくつかまたは全てを軽減することである。
【００１８】
本発明の特定の目的は、対象物の、そして特に、３次元空間におけるそれらの形状および／または位置についての追加情報を提供する、多数の対象物のまたは多数の構成要素を含む対象物の容器の、ライン走査のための方法および装置を提供することである。
【００１９】
本発明の特定の目的は、特別の表示装置を必要とせず、しかし２次元の表示スクリーン上に効果的に提示されることが可能な、対象物の３次元空間における形状および／または位置についての情報を提供する画像を生成する、方法および装置を提供することである。
【課題を解決するための手段】
【００２０】
それゆえ、本発明の一態様によれば、対象物の画像を生成して表示するための以下を含む装置が提供される：Ｘ線またはガンマ線発生源のような高エネルギー放射線発生源および、相互間に走査ゾーンを定義するために、相互に間隔を隔てたＸ線またはガンマ線検出器のような適用可能な少なくとも２つでかつ５つ以下の一連のリニア放射線検出器；使用時に対象物を、前記走査ゾーンに対しておよび当該走査ゾーンを通って移動させる手段；少なくとも１つのおよび好ましくは各リニア検出器の出力から画像を生成するように構成される直接画像生成装置；リニア検出器のうちの少なくとも１つのおよび好ましくは各隣接するペアの出力を処理すること、および２つの前記検出器の出力間の中間の出力を表す画像を生成することによって、前記検出器の前記少なくとも１つのおよび好ましくは各ペアから少なくとも１つの中間画像を生成するように構成される中間画像生成装置；全部で少なくとも５つのおよび好ましくは少なくとも６つの画像が生成されるのに適した前記画像生成装置；この種の画像を連続的に表示し、したがって前記画像間に単眼の運動視差を表示するのに適した画像ディスプレイ。
【００２１】
類推的に、本発明のさらなる態様によれば、対象物の画像を得るための以下のステップを含む方法が提供される：Ｘ線またはガンマ線発生源のような高エネルギー放射線発生源および、相互間に走査ゾーンを定義するために、相互に間隔を隔てたＸ線またはガンマ線検出器のような適用可能な少なくとも２つでかつ５つ以下の一連のリニア放射線検出器を設けるステップ；対象物を前記走査ゾーンに対しておよび当該走査ゾーンを通って移動させるステップ；少なくとも１つのおよび好ましくは各リニア検出器の出力から直接画像を生成するステップ；リニア検出器のうちの少なくとも１つのおよび好ましくは各隣接するペアの出力を処理すること、および２つの前記検出器の出力間の中間の出力を表す画像を生成することによって、前記検出器の前記少なくとも１つのおよび好ましくは各ペアから少なくとも１つの中間画像を生成するステップ；全部で少なくとも５つのおよび好ましくは少なくとも６つの直接および中間画像が生成される；この種の画像を連続的に表示して、したがって前記画像間に単眼の運動視差を表示するステップ。
【００２２】
したがって、本発明の第１および第２の態様の方法および装置によれば、対象物と発生源／検出器の装置との間で相対的運動が生じるので、連続的な画像が生成される。例えば対象物の取扱手段を含む適切な手段が、対象物と走査ゾーンとの相対的運動を生じさせるために提供される。対象物にとって、例えば適切な対象物の取扱手段またはコンベヤによって、静止した走査ゾーンを通って移動されることはしばしば便利であってもよいが、しかし、対象物を静止状態に保ち、相対的運動を作成するために検出器および発生源を平行移動することも有効であることはいうまでもない。
【００２３】
少なくとも５つのそして好ましくは少なくとも６つの画像（直接のおよび中間の）が、走査ゾーンに対する対象物の動きを連続的に反映して、Ｘ線または他の放射線のリニア検出器のうちの少なくとも１つの間隔を隔てたペアから生成される。しかしながら、複数の画像が生成されるにもかかわらず、それらの画像は、立体視的な効果を提供するつもりで、単に収集されそしてペア画像として表示されるのではない。むしろ、本発明は、連続的な画像間の単眼の運動視差を利用する。
【００２４】
この視差は、任意のペア画像にとって効果があるとはいえ、連続的に連なる多数の画像が使用される場合に、３次元空間において位置する特に対象物に関して、いくつかの有効な生理的刺激を与えることができる。しかしながら、それは、完全な立体視システムにわたる多くの単純性の利点を有する。
【００２５】
特に、画像は、個々の２次元画像として連続的に表示され、そして特別の装置を必要としない。システムは、単眼視差を利用する。立体視の場合のように、ユーザの目の各々のための別々の画像を同時に生成することは必要でない。両眼用または他の複合の立体視装置は、要求されない。単純な単眼のディスプレイで充分である。さらに、両眼視差を有効に利用するのに必要な画像制作での比較的厳しい管理は、適用しない。例えば、有効な両眼視差のペア画像にとって、画像は、両者間の視差が人間の観察者によって耐えられる程度に密接にマッチするように生成されることを必要とする。対照的に、３次元における運動の有効な単眼視差の錯覚は、より大きな範囲の連続的な画像によって発生されることができる。欧州特許第ＥＰ０２６１９８４号において上で数値的に述べたように、従来技術の立体視的な画像化に適用されるビーム位置関係（ｂｅａｍ  ｇｅｏｍｅｔｒｙ）の狭い条件に対応することは必要でない。この技術は、したがって、実際には潜在的にずっと強靱である。
【００２６】
本発明の第１および第２の態様による方法およびシステムは、従って、両眼の方法および装置よりも、多くの実際の状況において、潜在的に簡素であり、重要なことに、本発明は、限定された変更を有しつつも、現行の装置および技術に対する応用により適する。例えば、Ｘ線のリニアアレイ検出器を用いたＸ線ライン走査が広範に用いられているセキュリティ業界において、本発明の方法に従って作製された画像は２次元のビデオ表示スクリーン上に表示可能であり、情報は、そのような画像から、実質的に従来の方法においてそのようなスクリーンの所に着座したユーザによって取得可能である。
【００２７】
単眼視差の効果は、画像ペアにおける理論において存在しており、ユーザが対象物を分解可能である３次元における視覚的刺激、および特に、走査されるその個々の内容物および／または構成要素は、このような簡素な画像ペアから取得可能である。しかしながら、その効果は向上され、特に、一連の少なくとも５つの、好ましくは少なくとも６つの連続した画像が生成され、表示される場合、３次元における動きのより効果的な影響が得られる。本発明によれば、少なくとも５つの、そして好ましくは少なくとも６つの画像が生成される。
【００２８】
追加的な画像が生成されることのできる２つの方法がある。第１に、横方向に間隔を置かれた２つ以上の一連のＸ線または他の放射線のリニア検出器（例えば少なくとも３つの検出器）が、備えられてもよい。この種の検出器の各出力は、それから、その検出器で収集されるデータの画像表現を生成するために、単独で用いられてもよい。しかしながら、多数のリニア検出器は、必ずしも望ましいわけではなくて、より複雑な装置を要求してもよい。
【００２９】
したがって、本発明によれば、さらなる画像は、隣接するリニア検出器から収集されるペア画像の補間によって生成される。したがって、本発明によれば、方法は以下を含む。検出器の出力または検出器の隣接するペアの出力を処理することによって、そして２つの検出された出力間の中間の出力の画像表現を生成することによって、リニア検出器のうちの少なくとも１つの、および好ましくは複数の、そして例えば各々の隣接するペアから、少なくとも１つの中間画像を生成する。本発明の装置は、この機能を有する手段を含む中間画像生成器を含む。
【００３０】
充分な中間画像が、わずか５つの検出器から、そして好ましくはいずれにしても検出器があるよりも多くの画像が生成されるようなものから、全部（すなわち、各検出器の直接検出する出力から直接画像が収集されるとき、補間によって生成される中間画像が合計される）で少なくとも５つおよび好ましくは少なくとも６つの画像を作成するために生成される。２つまたは３つのみの検出器が用いられる場合には、必要な数の画像に結びつくために、付加的な画像が、検出器の充分なペア間に複数の仮想的に間隔を隔てた中間画像を合成することによって作成される。中間の画像生成器は、それから、検出器のまたは検出器のうちの少なくとも１つの隣接するペアの出力を処理すること、および２つの前記検出器の出力間の移行を表す画像を生成することによって、隣接するペアによって発生される画像間の段階的移行を示す、隣接するペアから２つ以上の中間画像を生成するように構成される。
【００３１】
このように、本発明の装置は、人間の観察者によって、視差効果の最適な分解能に対しての最小有効量として観察される、少なくとも５つの、および好ましくは少なくとも６つの画像を生成するが、すべての場合において、６つ未満のリニア検出器アレイを有して、好ましくはすべての場合において、検出器アレイが存在する以上の画像を発生する。充分な視覚化情報が、単純な装置から生成される。
【００３２】
単一の中間画像が検出画像の隣接するペア間で生成される場合には、中間画像は好ましくは、２つの検出画像上の等価な画像点間の中点に、中間画像上の画像点を外挿する。ペアの検出画像間に複数の中間画像が提供される場合には、これらは好ましくは、同様の、均等に間隔を隔てた外挿に基づく。さらに好ましくは、検出器の相対的間隔および中間画像生成器の構成は、すべての画像がほぼ同じ相対的運動間隔によって生成されるようなものである。例えば、検出器は均等に間隔を隔てられ、そして、複数のアレイの各ペア間に同数の中間画像が生成される。
【００３３】
前述によれば、直接的および間接的双方のアプローチは、事実上別々の位置に達する走査ゾーンにおける対象物の一連の画像を生成するために使用される。第１のアプローチにおいて、複数の間隔を隔てた検出器は、対応する複数の直接画像を発生する。第２のアプローチにおいて、隣接するリニア検出器からの実際データは、直接画像に対する中間の、したがって対象物の中間の位置を表す間接画像を生成するために用いられる。
【００３４】
両方法は、連続的な画像の各ペア間の単眼の運動視差によって、３次元に関する情報および、特に３次元を通しての運動の印象が得られることができる、連続的な一連の画像を生成するために用いられる。比較的少ない数の画像が、単純な２次元のスクリーンを観察するユーザによって３次元の効果的な動画に似た動きを発生することを要求される。
【００３５】
本発明によれば、少なくとも５つおよび好ましくは少なくとも６つの画像が生成されるがしかし、検出器の各ペアの出力から少なくとも１つの間接画像を生成する補間法を使用する結果として、５つまたはより少ない検出器が必要である。
【００３６】
横方向に間隔を置かれた複数の一連のリニア検出器が備わる場合には、それら相互間の間隔は好ましくは一般に一定であり、例えば、一連の検出器の隣接する各ペアが、実質的に等しく横に間隔を隔てるおよび／または、Ｘ線または他の放射線発生源に対して実質的に等しい角度間隔にある。
【００３７】
横方向に間隔を置かれた一連に並ぶＸ線または他の放射線のリニア検出器は、好ましくは一般に平行である。それらは、共通の平面にまたは共通の円弧に沿って配置されてもよい。各リニア検出器は、任意の適切な構成、例えば従来の単純なまたは折り畳みの構成であってもよい。
【００３８】
好ましくは、横方向に間隔を置かれた一連に並ぶリニア検出器は、それら相互間の距離が、各アレイ間の一定の角度分離を維持するために変更するように配置される。このことは、多くの走査産業において一般に見られるＬ字状の検出器のためにきわめて重要である。この革新はまた、放射線の発生源が各アレイの中心点に置かれないときにきわめて重要である。
【００３９】
好ましくは、装置は、上述されるように、各リニア検出器の配列を可能にさせる位置合わせ手段を含む。
【００４０】
好ましくはこの装置は、好ましくは単一の放射線発生源からの複数の光線を分配する手段を含む。例えば、ビームは各リニア検出器に導かれる。好ましくは、複数の光線を分配する手段によって、ユーザは、場合によっては、２つ〜５つの光線のいずれかを選択することができる。都合の良いことに、この装置は、ユーザが単一の放射線発生源から２つ〜５つの光線を選択することができるのに適したコリメータを含む。
【００４１】
都合の良いことに、連続的な画像は、例えば、ユーザがコントロール下で連続的な画像の表示をすることができるためにコントロール手段が備えられるという点において、および、一連の画像から３次元刺激の有効な操作を作成するために、例えば選択した速度でおよび／または、画像表示手段上で正順または逆順に、観察者のコントロール下で表示される。例えば、このことによって、ユーザは、各画像間に人間の観察者のためのなめらかな移行を可能にするために可変速度で連続的な画像を表示すること、および／または画像を正順および逆順で走らせることができる。本発明の方法によれば、連続的な画像は、したがって、解釈を容易にするために、観察者のコントロール下で習慣定義可能なリフレッシュ速度および方向で表示される。
【００４２】
表示手段は、都合の良いことに、単純な２次元の表示スクリーン（例えば従来のビデオ表示スクリーン（この用語は、任意の陰極線管、プラズマディスプレイ、液晶ディスプレイ、シリコン液晶ディスプレイ、ＬＥＤディスプレイまたは同様の技術、を利用する任意のダイレクト・ディスプレイまたはプロジェクション・システムを含むことを意図する））である。それは、この方法が、例えばセキュリティおよび医療の画像化分野に見合う既存のシステムの標準表示画面と一緒の使用を想定されることができることの、および本発明の装置が、その既存のシステムの標準表示画面に組み込まれることの、特定の利点である。
【００４３】
Ｘ線または他の放射線発生源は、従来のライン走査装置からよく知られているカーテンビーム発生源であることが特に好ましい。この発生源は、例えば、適切なビーム分割装置によって、適切な角度分離で横方向に間隔を置かれた一連のアレイにおける各リニア検出器に、位置合わせされて入射するカーテンビームなどの一連のビームを生成するように適合された単一の１次発生源を含んでもよい。あるいは、複数の発生源が提供されてもよく、その各々は、一連のアレイにおけるリニア検出器上に入射するカーテンビームなどのビームを生成する。発生源は、前述の原理の両方を組み合わせる発生源を含んでもよい。
【００４４】
横方向に間隔を置かれた一連の各リニア検出器は、伝送されるＸ線または他の放射線の検出のための検出器である。例えば、各検出器は、伝送されるＸ線または他の放射線に応答して電気的インパルスを生成するのに適して、したがって、対象物が走査ゾーンを通って移動させられるにつれて、収集されるデータから画像が作られることを可能にする。各検出器は、都合の良いことに光電子応答を呈して、例えばホトダイオード・セルのリニアアレイを含んでもよい。検出器／セルは、入射Ｘ線または他の放射線に対してそのような電気的反応を、直接的にまたは固有に生成することができる材料を含んでもよく、または、そのような電気的反応を間接的に生成する材料（例えば、入射Ｘ線または他の放射線に反応して、より低周波数の電磁放射線を生成するシンチレータ層を含む）、およびそのようなより低周波数の入射電磁放射線に応答する電気信号を生成する材料との組み合わせを含んでもよい。
【００４５】
従来の単純なリニア検出器は、この後者のタイプのものである。通常、入射Ｘ線から可視領域内にまたはその近傍にフォトン（光子）を生成するシンチレータ材料、および、入射可視光から光電子効果を介して電気信号を生成する、典型的にはシリコンまたはガリウムヒ素をベースとした半導体層を含む、サンドイッチ層が用いられる。このように、検出器の材料は、サンドイッチ層上に入射する伝送されたＸ線を示す電気インパルスを共に生成し、そこから画像が上述のように形成可能である。
【００４６】
連続した画像（たとえこの種の簡素な検出器を用いたとしても）は、本発明の方法および装置に従って使用可能であり、生じる画像のユーザ分解能を著しく向上させることができ、そして特に、複数の対象物あるいは、複数の内容物または構成要素を有する対象物に関連して取得可能な情報を向上させることができる、潜在的に重要な３次元的な刺激を生成する。しかしながら、組成情報は、与えられない。
【００４７】
別の実施形態において、リニア検出器の少なくともいくつかは、二重エネルギー検出器を含む。この用語は、低エネルギーのおよび高エネルギーのＸ線を区別することができる検出器を参照するために、本明細書において使われる。複合検出器の二重エネルギーＸ線伝送部分は、例えば、上述のように、シンチレータおよび半導体材料のサンドイッチ構造を備えることによって、シンチレータ材料およびホトダイオードに基づくことができ、または、光ファイバと併せたシンチレータに基づくことができる。各々の場合において、放射されたＸ線スペクトルは、高エネルギー領域および低エネルギー領域へとフィルタリングされ、従って、原子番号に基づいた一部の組成情報（粗雑な概算は、ある程度、有機材料と無機材料との間を差異化する）を提供する。
【００４８】
検査される対象物が走査ゾーンを通って移動するにつれて、得られる各Ｘ線画像が二重エネルギーセンサによって検出された場合、その二重エネルギーセンサは、対象物の性質についての情報を提供する。これはさらに、複数の対象物または構成要素、特に、個々の２次元画像に重ねられたものの分解能を支援するために、連続した画像間の単眼運動視差によって提供される３次元的刺激との組み合わせを支援する。
【００４９】
しかしながら、従来のシンチレータ・半導体検出器は、伝送されるＸ線のスペクトルについていかなる真の分光情報も与えないと強調されなければならない。これらの単純な検出器は、伝送されるＸ線が存在するか否かを単に検出するだけである。二重エネルギー検出器でさえも、最終的には同じ原理で作動するが、それらは、スペクトルの２つの異なる帯域内のＸ線が存在するか否かを検出する。
【００５０】
従って、装置発明の特に好適な実施形態によれば、一連のリニア検出器の少なくともいくつかは、伝送されるＸ線または他の放射線についての分光情報を生成することができる検出器を含む。すなわち、検出器は、分光情報が読み出されることができる、Ｘ線または他の放射線発生源スペクトルの少なくとも実質的な部分全体の分光的に可変の応答を呈する。
【００５１】
分光情報の適切な分解能は、２つの利点を与える。それは、例えば、生成された画像においてそれらを異なるように（例えば異なる色で）表示することにより（これは、画像の異なる対象物、構成要素またはその一部の分解能を支援する）、異なる組成の対象物間、構成要素間または部分間を区別することによって、その画像の異なる構成要素または対象物の組成、あるいは画像の一部を直接に特徴付ける能力を提供する。
【００５２】
それに応じて、この方法の好ましい実施形態によれば、収集した伝送データは、分光的に分解される。
【００５３】
この好ましい実施形態によれば、伝送されたＸ線またはこの種の各リニア検出器の出力から得られた他の放射線の分光的分解能は、生成される画像において表される。例えば、収集したデータの分光的弁別は、区別された色、陰影またはマーキングとして、画像において表される。例えば、機能的マッピングが、検出器および視覚スペクトルによって集められる分光情報と、この機能的関係に由来する着色した画像表示との間に作成される。あるいは、領域ごとに分ける（ｂａｎｄｅｄ）マッピングが用いられ、スペクトルが、例えば、４つから８つなどの複数の領域に分割され、異なる色を用いて、表示された画像内にそのような領域を示すことに用いられる。装置は都合の良いことに、このマッピングを生じさせるために適切な画像処理手段を含む。
【００５４】
検出器システムが、データ処理装置によって分光的に分解可能である方法で放射線を検出することを可能にされることは、必要である。好ましくは、本発明によるリニア検出器システム、または、本発明によるマルチ要素検出器システムを構成するいくつかのまたはすべての個別の検出器要素は、それが直接の分光器応答を呈するという点で、分光器分解能を発生するのに本質的に適していてもよい。特に、システムまたは要素は、選択された材料から製造されて、発生源スペクトルの異なる部分に対して、直接の材料の性質として、直接可変の電気的な、および例えば光電子的反応を本質的に示す。例えば、検出器システムまたは要素は、広い直接の帯域ギャップ半導体物質を含む。例えば、検出器システムまたは要素は、バルク状クリスタルとして、および例えばバルク状単結晶として（この文脈におけるバルク状クリスタルが少なくとも５００μｍの、そして好ましくは少なくとも１ｍｍの厚さを示す）、好ましくは形成される半導体物質または材料を含む。半導体を構成する材料は、テルル化カドミウム、カドミウム・テルル化亜鉛（ＣＺＴ）、カドミウム・マンガン・テルル化物（ＣＭＴ）、ゲルマニウム、ランタン臭化物、トリウム臭化物から好ましくは選択される。グループＩＩ−ＶＩ半導体および特にリストされるそれらは、特にこの点に関して好まれる。半導体を構成する材料は、テルル化カドミウム、カドミウム・テルル化亜鉛（ＣＺＴ）、カドミウム・マンガン・テルル化物（ＣＭＴ）、およびそれらの合金から好ましくは選択されて、例えば、結晶体Ｃｄ１−（ａ＋ｂ）ＭｎａＺｎｂＴｅ（ａおよび／またはｂはゼロでもよい）を含む。
【００５５】
これらの組合せおよびこの種の任意の他の材料は、単に伝送される放射線の振幅を検出するだけであるよりはむしろ、いずれが分光器検出を与えるかについて考慮されてもよい。
【００５６】
十分な分光学的情報を与えるリニアアレイ検出器の使用は、分光法からの所与の組成情報の固有な利点に加えて、材料を識別するこのような能力が、３次元における複数の対象物、構成要素、または画像要素の分解能をさらに支援するために、単眼運動視差を介して、３次元的刺激を取得する能力と協動して作用するので、特に好ましい。
【００５７】
一連のアレイにおける少なくとも２つのリニアアレイ、および好ましくは、複数の画像を生成でき、これらを動画的な連続として観察することを可能にする複数のリニアアレイを備える基本的配置（ｇｅｏｍｅｔｒｙ）は、対象物の形状および外形を解釈する向上した能力を提供するという点において本発明に必須のものである。
【００５８】
しかしながら、分光的リニア検出器を使用することによって与えられる、著しく改善された材料識別性能は、対象物の組成を識別するための固有の能力、および追加及び補強可能である多くの工程を介して、画像内の異なる対象物の分解能の両方を向上させる。
【００５９】
特に、例えば、分光検出器は、エネルギー選択的な方法において動作可能であり、標準的な従来技術の二重エネルギー検出器から利用可能である２つのエネルギー帯域と比較して、著しく増加した数のＸ線または他の放射線エネルギー帯域に分解された画像を提示する能力を生じる。この情報は、現在可能であるものよりも、はるかに高度な材料識別を提供するために用いることが可能であり、また、複合画像内における異なる組成の対象物を別個に識別することによって、このような対象物の分解能を改善するために用いることができる。
【００６０】
さらなる効果として、その形状（ｇｅｏｍｅｔｒｙ）が、走査ゾーンに亘って連続して配置された複数のリニア検出器で配置される方法は、個々の検出器によって見られる放射線経路の各々が異なることを意味する。再び、分光検出器は、これらの異なる経路を介して、さらに多くの情報を得ることができる。一部の類似が、標準的なＣＴ技術において用いられる、複数の放射線経路技術に対して存在し得る。
【００６１】
適切なアルゴリズムを用いて分光的な分解能の上述の２つの態様の両方の効果を組み合わせることによって、走査される材料のタイプのさらに多くの正確な解釈が達成可能である。
【００６２】
動作のそれらの１次モードにおいて、横方向に間隔を置かれて並んだリニアアレイ検出器は、例えば、単一のＸ線または他の放射線発生源からであってもよい発生源からの複数のビームを受け入れるように構成される。動作のこのモードの特定の実施形態において、１つ以上の発生源は、一連の入射ビームを生成するために利用されてもよく、例えば、別個のリニア検出器の分配に適切である相対的な角度においてカーテンビームを生成するために用いられてもよい。動作のこのモードにおいて、本発明の方法および装置は、前述の利点を利用してもよい。
【００６３】
その形状はまた、動作の代替的なモードを許容する。この代替的なモードによれば、単一の１次カーテンビームが生成され、例えば、横方向に間隔を置かれて並んだリニアアレイ検出器の中間位置にほぼ向けられて、および特に、その並びの中間位置またはその周囲のリニア検出器の方向に向けられる。本発明の装置は、好ましくは、Ｘ線または他の放射線発生源の出力をコリメートするための適切なコリメータを備え、そのような１次ビームを生成する。
【００６４】
適切な位置に対象物を有して、この単一の１次ビームは、一連の検出器内の中央のリニア検出器に対して向けられる。これらの状況において、この検出器は、伝送されたＸ線を検出するが、他の検出器は、回折された２次ビームを検出することができるのみである。適切な較正に従い、２次検出器上に現れた信号は、散乱したＸ線に関するさらなる情報を与える。散乱は、多結晶材料に特徴的なものであり、この構造は、セキュリティ検出器装置が識別において方向付けられ得る爆発物およびそのような材料の多くに関して関連するものである。従って、動作のこのモードにおいて、このような物品の検出可能性の著しい向上が提供される。これは、２次的な散乱検出器の必要性なく、むしろ、動作の２次モードからデータの適切な処理によって達成される。
【００６５】
特に好ましい実施形態において、動作の両方のモードが、順次に、連続的に接近して、または同時に効果的に、最大の情報を収集するように適合されてもよい。すなわち、複数の画像が、並んだリニア検出器によって作成された走査ゾーン全体を通して向けられた単一の１次ビームを用いて形成され得、そして、順次に、連続的に接近して、または同時に効果的に、単一のコリメートされた１次ビームが、個々のリニア検出器（例えば、並んだ検出器のうちのほぼ中央に配置されたリニア検出器など）において向けられてもよく、散乱情報は他の検出器から収集される。
【００６６】
分光的に情報を分解することができる検出器が用いられることが、好ましい実施形態の特有の利点であり、これらの２つの方法によって収集されたデータは、システムの動作によって取得可能な構成情報に対して著しい向上性を与えるために、より正確に分解されることができる。
【００６７】
本発明の方法の動作のために、走査される対象物を、走査ゾーンに対して移動させ、通過させるように、走査される対象物と装置との間の相対移動を生じさせる必要がある。実際には、多くの実際的な目的のために、対象物は、静止状態にある走査ゾーンに対して移動される。例えば、本発明の装置は、走査される対象物を走査ゾーンを通って搬送する対象物搬送手段を備える。この対象物搬送手段は、例えば、平面コンベヤを備えてもよく、これは、好ましくは、一連のリニアアレイ検出器が配置されている面に対して並行する面において対象物を搬送する。例えば、コンベヤは、無端ベルトコンベヤ等である。しかしながら、対象物を静止したままにしておくこと、および、検出器および発生源を移動させて相対移動を生成することもまた有効である。
【００６８】
発生源は、エネルギーの分布を発生しなければならない。好ましくは、発生源はＸ線発生源である。タングステンは最適な目標であるが、しかし、他の人が使用できる。多重発生源が、エネルギーの望ましい分布を発生するために用いられてもよい。
【００６９】
本発明のこれらの特徴の１つ以上は、改良された情報をオペレータに提供するために組み合わされることができ、そして、後述する特定の実施形態はこの種の組合せを示す。
【図面の簡単な説明】
【００７０】
本発明は、添付図面を参照して一例として記述される。
【図１】図１は、本発明の実施形態を表す側面図である。
【図２】図２は、図１の実施形態によって生成される連続的な画像によって作成される効果を示す図である。
【図３】図３は、代替の動作モードにおける本発明の実施形態の側面図である。
【図４】図４は、画像処理およびディスプレイシステムの概略図である。
【発明を実施するための形態】
【００７１】
図１を参照すると、適切なＸ線発生源１が、走査ゾーンを介して３つのリニア検出器アレイ３ａ〜３ｃの方向にＸ線を導くために使用される。
【００７２】
本実施形態において、リニア検出器アレイ３ａ〜３ｃは、入射Ｘ線の分光分解能の能力がある材料を含み、そして具体例として、当業者は他の材料選択が適切かもしれないと認識するにもかかわらず、テルル化カドミウムを含む。この分光分解能を活用するために、Ｘ線発生源は、広いエネルギースペクトルにわたるＸ線を発する。例として、当業者は他の材料が適切かもしれないと認識するにもかかわらず、タングステン発生源が用いられる。
【００７３】
入射線経路５ａ〜５ｃが、Ｘ線発生源１と、検出器３ａ〜３ｃそれぞれとの間の走査ゾーンを通って示される。
【００７４】
無端ベルトコンベヤ７は、走査される対象物９を、走査ゾーンにおける線経路５ａ〜５ｃをさえぎるためにｄ方向へ移動させる。本発明のこの実施形態の想定される用途は、危険物探査装置である。そして、対象物９は、概して、組成的に特徴づけて、そして３次元で有効に見ることが役立ちかつ望まれる、さまざまな異なる対象物を収容していると予想される、容器（ｃｏｎｔａｉｎｅｒ）であるとみなされることができる。しかしながら、当業者は、同じ原理が、例えば、内部検査目的のための対象物の走査に、医療の走査に、および同様の用途に、適用されることができると直ちに認識する。
【００７５】
画像は、３つの検出器３ａ〜３ｃの各々から伝送される情報を積み上げることによって生成される。画像処理システムは、図４に概略的に示される。
【００７６】
図４を参照すると、対象物が走査ゾーンを通過するにつれて、３つの検出器アレイ３ａ〜３ｃからデータが収集されて、データ収集・処理ユニット２１に伝送される。データ収集・処理ユニット２１は、そのデータをまとめて、照合して、したがって、各検出器から収集されたデータに特有の個々の画像を発生する。これらは、画像記憶レジスタ２２へ送られる。
【００７７】
データ収集・処理ユニット２１は、例えば適切な処理ソフトウェアの形態において、直接画像モジュールおよび中間画像モジュール（独立して識別されない）を含む。直接画像モジュールは、３つの検出器アレイ３ａ〜３ｃの各々での入射情報データセットを表す画像データセットを生成する。中間画像モジュールは、検出器アレイ３ａ〜３ｃの隣接する各ペアの入射情報データセットの数値処理に基づく仮想画像データセットを生成する。図示の実施形態において、中間画像生成器は、検出器の出力または検出器の隣接する各ペアの出力を処理すること、そして２つの前記検出した出力間の移行の画像表現を生成することによって、隣接する各ペアによって発生される直接画像間の段階的移行を示す、隣接する各ペアから２つ以上の中間画像を生成するように構成される。
【００７８】
本発明によって想定されるように、画像の解釈の鍵は、画像が表示される方法にある。この例では、２次元のビデオ表示スクリーンを含む単純なディスプレイ２５が設けられる。画像は、画像レジスタ２２からディスプレイ上へ連続的かつ順次に送られる。この連続的で順次の表示の結果は、スクリーン２５を見る観察者が、連続する画像から情報を収集すること、特に、画像間の単眼の運動視差によって３次元の刺激を収集することが可能なことである。
【００７９】
このことの特定の特徴は、図２によって示される。対象物９が入射線経路５ａ〜５ｃ（図２ａ参照）を通過するにつれて、対象物がＸ線発生源１と相対的に異なる向きにある３つの画像が生成される。これらの画像の連続する表示によって、図２ｂに示すように、回転するように見える対象物が生じる。
【００８０】
３次元において事実上回転可能である対象物の見方を事実上得るこの能力は、ボリューム表現されるＣＴ画像に見られる視覚の利点に類似していると見られることができる。疑似３Ｄで対象物を見る能力は、人間の観察者が視野内の対象物について正しい仮定を作成するのを支援する。本発明にしたがって生成される画像は、装置によって、しかし典型的なＣＴマシンよりも少ない複雑な形態を提供されるマルチプルな線経路の結果としてのこれらの利点を示し、そして、例えば、セキュリティ走査システムで使用される単純なリニアコンベヤ上で容易に実現されてもよい。
【００８１】
図２は、明確さのためにのみ直接収集画像を示す。実施形態が３つの検出器を有するので、対象物の別々の位置における３つの直接収集画像が生成されることができる。しかしながら、直接得られた画像に加えて、画像処理ユニット２１は、直接収集されるデータの外挿法によって中間画像を生成するのに適している。
【００８２】
１つの可能な実施形態において、単一の中間画像が、収集されるペアごとに生成される。したがって、データレジスタ２２は、順次表示されることが可能な５つの画像を保存する。第２の可能な実施形態において、２つの仮想的に間隔を隔てた中間画像が、収集されるペアごとに生成される。したがって、データレジスタ２２は、順次表示されることが可能な７つの画像を保存する。他の配列および中間画像プロトコルが、適用されてもよい。
【００８３】
したがって、図示の実施形態におけるデータ収集・処理ユニット２１は、３つの検出器のみから少なくとも７つの画像を生成する。したがって、データレジスタ２２は、順次表示されることが可能な少なくとも７つの画像を保存する。実際のまたは仮想の位置を表す６つ以上の画像のシフト、したがって相対的な運動視差が５つまたはより少数の検出器によって生成されるという根底にある原理を前提として、他の配列および中間画像プロトコルが適用されてもよい。
【００８４】
スクリーン２５上での画像の順次表示は、コントロール手段２７によってユーザのコントロール下にある。このことによって、ユーザは、データレジスタ２２に保存される画像の連続物から動画のシーケンスを生成することができて、収集されるデータから有意の３次元刺激を得るために画像の収集を有効に操作することができる。必要に応じてこれをさらに改良するために、コントロール手段２７は、コンベアベルト７を操作するために作動して、不確実の場合に対象物自体が走査ゾーンを通過しおよび再通過することを許容する、ベルトドライブをコントロールする手段２９を含む。
【００８５】
図示の実施形態では、伝送されるＸ線を分光的に分解することができる検出器が、使用される。この分解される分光情報は、画像における対象物の識別材料を提供するためにその後処理されるデータの一部を形成する。
【００８６】
より複雑な立体視システムを通じた本発明の特定の利点は、図１および図４によく示される。単なる２次元のスクリーン２５以外に、特定の立体視表示装置は必要でない。システムの外形は、それ自身を単にベルトコンベア装置に添えるだけであり、したがって本発明のシステムは、従来のＸ線スキャナと比較したとき、基本的な装置の機能または使用方法において、基本的な変更をほとんど必要としない。しかしながら、それは、特に図２に示す効果のおかげで、３次元における対象物の分解能および物質的な特徴描写の双方を改良する有意な能力を提供する。
【００８７】
図３は、スキャナに対する代替の動作モードを表し、走査ゾーンに位置する対象物９を図示する。
【００８８】
Ｘ線発生源１の出力は、コリメータ１１によって、単一のカーテンビーム１３にコリメートされる。単一の経路ビームは、中央の検出器３ｂに導かれる。中央の検出器３ｂは、線経路１５ｂを介して、伝送されるＸ線を受け止める。他の検出器３ａおよび３ｃは、線経路１５ａおよび１５ｃをそれぞれ介して、散乱するＸ線を受け止める。したがって、本発明の装置は、伝送されるＸ線および散乱するＸ線の双方を同時に検出するために、そして、多結晶の材料を特徴づけるのにそこから導き出せる情報を使用するために、この動作モードを介して容易に適応されることができる。別個の散乱検出器は、必要ではない。伝送されるＸ線および散乱するＸ線の分解能は、実施形態では、テルル化カドミウム検出器により与えられる分光分解能によって支援される。
【００８９】
図３に示される動作モードからのデータは、収集されることができ、そして、図４に概略的に示されるように図１に示される動作モードからのデータと一緒に処理されることができる。例えば、２つの動作モードは、画像化される対象物の組成に対する改良された特徴描写の情報を提供するために、順次に、連続的に接近して、または同時に、操作されてもよい。
【００９０】
例示の実施形態によれば、３つのリニア検出器アレイは、一連に図示される。検出器のペアでさえ、単眼の運動視差が得られることのできるペアの画像を生成すること、そして、実際のシステムでは、より多数の検出器を一連に有することが望ましいこと、が理解される。３つの検出器は、例示のみの目的で提示される。それにもかかわらず、収集したデータから中間画像を生成するために画像化システム内で適切なアルゴリズムが使用される場合は特に、有効な操作が可能な、および動画が可能な一連の画像が、比較的少ない個数の一連のリニア検出器から得ることができる。
【図１】
2010522876.tif 000003
【図２ａ】
2010522876.tif 000004
【図２ｂ】
2010522876.tif 000005
【図３】
2010522876.tif 000006
【図４】
2010522876.tif 000007
【国際調査報告】
2010522876.tif 000008
2010522876.tif 000009
2010522876.tif 000010